(57)【特許請求の範囲】
【請求項１】
支持穴が貫通したベース部材と、該支持穴内において進退自在に支持されたピストン部材と、該支持穴と連通して前記ピストン部材を進退自在に支持する貫通穴を有し、且つベース部材によって前記貫通穴を中心として正逆転自在に支持された回動部材と、該回動部材により開閉自在に軸支された少なくとも一つの第１の開閉片と、前記第１の開閉片に設けられて該第１の開閉片が閉止方向へ回動したときに前記ピストン部材を一方向へ移動させる第１の押圧部材と、前記ベース部材の所定部位によって開閉自在に軸支された少なくとも一つの第２の開閉片と、前記第２の開閉片に設けられて前記一方向へ移動したピストン部材に押圧された時に該第２の開閉片を開放方向へ回動させる第２の押圧部材と、該第２の開閉片を閉止方向へ付勢する弾性部材と、を備えたことを特徴とする間接活線工法用クリップ。
【請求項２】
前記第１の開閉片が開閉操作されるハンドルであり、前記第２の開閉片が挟圧対象物を挟圧する挟圧片であることを特徴とする請求項１に記載の間接活線工法用クリップ。
【請求項３】
前記第２の開閉片が開閉操作されるハンドルであり、前記第１の開閉片が挟圧対象物を挟圧する挟圧片であることを特徴とする請求項１に記載の間接活線工法用クリップ。
【請求項４】
前後方向へ貫通する支持穴を有したベース部材と、前記支持穴内において前後方向へ進退自在に支持されたピストン部材と、前記支持穴を間に挟んだ左右対称位置に相当し、且つ前記支持穴を回避した前記ベース部材部位に夫々設けた軸支部によって開閉自在に軸支された二本のハンドルと、前記二本のハンドルのうちの少なくとも一方に設けられて該ハンドルが閉止方向へ回動したときに前記ピストン部材を前方へ移動させる第１の押圧部材と、該支持穴と連通して前記ピストン部材を進退自在に支持する貫通穴を有し、且つ前記ベース部材に設けた支持部によって前記貫通穴を中心として正逆転自在に支持された回動部材と、該回動部材の前記支持穴を間に挟んだ対称位置に設けた軸支部によって夫々開閉自在に軸支された二本の挟圧片と、該各挟圧片に設けられて前方に突出した前記ピストンに押圧された時に前記各挟圧片を開放させる第２の押圧部材と、該挟圧片を閉止方向へ付勢する弾性部材と、を備えたことを特徴とする間接活線工法用クリップ。
【請求項５】
前記支持部は、前記ベース部材に設けた凹所であり、前記回動部材は前記凹所としての支持部内に回転自在、且つ抜け落ち不能に支持されており、ストッパ機構によって前記ベース部材に対する前記回動部材の回動角度を一時的に固定できるように構成されていることを特徴とする請求項４に記載の間接活線工法用クリップ。
【発明の詳細な説明】
【技術分野】
【０００１】
本発明は、高圧の電気設備等に対する間接活線作業において使用される間接活線工法用クリップに関する。
【背景技術】
【０００２】
間接活線作業では、充電した状態の高圧配電線（電線）に対して作業員が絶縁ヤットコ等の間接活線工具を用いて各種作業を行う。間接活線作業に際しては、例えば、間接活線工法用クリップ（絶縁シート挟み用器具）を用いて、電線の充電部分に被せた感電防止用の絶縁シートを電線と共に挟んで固定したり、切断によりフリーとなった電線を他の部位に仮固定するといった安全措置を講じる必要がある。この間接活線工法用クリップは、長尺のハンドル部を備えた絶縁ヤットコを用いて操作されるのが一般である。
図８（ａ）は従来の間接活線工法用クリップ（以下、クリップと称する）の構成例であり、このクリップ１００は、２つの挟圧片１０１を開閉支持部材１０５によって開閉自在に支持すると共に、各挟圧片の先端部１０１ａを常時接近（閉じる）方向へ付勢する図示しないバネを備えている。先端部が閉じた状態では後端部１０１ｂは図示のように離間した状態にあり、図８（ｂ）に示すように絶縁ヤットコ１２０を用いてこの後端部１０１ｂ同士を接近させる方向へ挟み込むことにより、各先端部１０１ａを開放させることができる。
【０００３】
また、同図（ｃ）に示すように絶縁ヤットコの長手方向と直交する方向、その他の交差方向へクリップを保持して作業を行うこともできる。
しかし、従来のクリップを電線に取り付けた絶縁シートに挟み込んだり、絶縁シートから取り外す作業を行う際に、作業員の作業位置やアプローチ方法が限定される、という問題がある。高所作業車から延びるバケット１４０上に乗った作業においても周辺環境の影響によって作業が制限されることが多々ある。
特に、周辺の状況から高所作業車を使用できない場合には柱上に登ることになるが、その場合には柱上で安定した姿勢を維持しつつ効率的な作業を行うことが困難となることが多い。例えば、柱上では足場や姿勢や身体の動作が自由にならないため、クリップの着脱作業は更に制限を受けることとなる。
【０００４】
図９は高所作業車のバケットに乗って間接活線作業を行っている状態を示した略図である。図９に基づいて従来のクリップの欠点を説明する。
図９に示した例では、一方の作業者Ａは、電線１３０を内包した絶縁シート１３５を挟み込んでいるクリップ１００を、絶縁ヤットコ１２０を用いて取り外そうとしているが、クリップの後端部が上向きとなっているため、下方からの作業でクリップの後端部を絶縁ヤットコの先端部で挟み込んでクリップ先端部を開放させることは容易ではない。また、クリップの後端部の幅方向（短辺方向）が電線とほぼ並行となっているため、図示のように電線と交差する方向から絶縁ヤットコをクリップ後端部に接近させる場合には、絶縁ヤットコ先端部でクリップ後端部を挟み込むことが更に困難となる。
【０００５】
図１０（ａ）（ｂ）はこのような状況を図示しており、図１０（ａ）の紙面手前側、（ｂ）の右側に作業者が位置していると仮定する。この場合には、絶縁ヤットコ１２０の先端によりクリップ１００の後端部を引っ掛けて手前に引くことにより電線を中心としてクリップを回転させてクリップ後端部を手前側へ向けてから、クリップ後端部を絶縁ヤットコの先端部で挟み込んで開放させて離脱させることになる。しかし、この作業は極めて効率が悪く、疲労をもたらす。
或いは、作業者の位置を図１０（ａ）の右、或いは左方向に変化させた上で、絶縁ヤットコを電線とほぼ並行にしてクリップ後端部を挟持する必要があった。しかし、周辺の状況がこのような作業を許さない場合には、クリップを取り外す作業は極めて困難となる。
【０００６】
また、電線に掛けられた絶縁シート１３５をクリップにより挟み込む作業を絶縁ヤットコを用いて行うことは更に煩雑である。即ち、図９のように斜め下方、或いは横方向からの作業によってクリップを絶縁シートに挟み込むには、斜め下方向、或いは横方向から絶縁ヤットコにより保持したクリップ先端を電線に相当する絶縁シート部分にあてがって押し込んで絶縁シートを変形させながら、開放したクリップの挟圧片間に電線を内包した絶縁シートを入り込ませて挟み込む、といった煩雑な作業を行う必要がある。
或いは、絶縁ヤットコの長手方向に対するクリップの保持方向を図８（ｃ）のように９０度角度を持たせた上で、クリップの取付け作業を実施することも可能である。このような角度に保持したクリップ先端を開放させて電線に掛けられた絶縁シートの上辺に挟み込むには、電線とほぼ同じ高さまで作業者を上昇させつつ、絶縁ヤットコを電線とほぼ並行に保持しながら作業を行う必要がある。しかし、高所作業車のバケットの上昇可能な高さには限界がある。
【０００７】
また、図９中に示したように切断することによってフリーとなった電線の端部１３１を同じ相の電線等１３２に沿わせてクリップで固定するが、この場合にも作業者Ｂは、クリップの形状に起因して、作業位置やアプローチ方法が限定される、という問題がある。
特許文献１には、鋏のように２つのクリップ片を一つの支点部を中心として開閉自在に構成し、各クリップ片の後端部に絶縁ヤットコの先端部を確実に保持させるための保持部材を設けた間接活線工法用クリップが開示されている。この間接活線工法用クリップによれば、降雪時、雨天時等の作業環境の悪化に左右されることなく、間接活線工法用クリップが絶縁ヤットコから脱落することを防止することができる、と記載されている。
しかし、この間接活線工法用クリップは、図８等に示した従来のクリップと同様の欠点を有していることが明かである。
【先行技術文献】
【特許文献】
【０００８】
【特許文献１】特開２０１２−２０００８９公報
【発明の概要】
【発明が解決しようとする課題】
【０００９】
従来の間接活線工法用クリップは、長尺な絶縁ヤットコを用いて操作され、絶縁シート等を電線に固定したり、離脱させる等の作業に用いられるが、作業者の位置や、アプローチ方法が制限されるため、クリップの着脱操作が煩雑であった。
即ち、従来の間接活線工法用クリップは、ハンドルの開放方向に対する挟圧片の開閉方向が一義的であり、同一平面内で開閉する構造であったため、ある位置にいる作業者による操作では角度的にクリップの着脱が難しい場合には、作業位置を変える必要があったが、周辺の条件からして作業位置の変更が難しい場合には着脱作業が難航することがあった。
本発明は上記に鑑みてなされたものであり、ハンドルに対する挟圧片の角度を変更可能にしたことにより、絶縁ヤットコ先端により、間接活線工法用クリップを電線等に被せた絶縁シート等の対象物に対して着脱する作業を容易化することができる間接活線工法用クリップを提供することを目的としている。
【課題を解決するための手段】
【００１０】
上記目的を達成するため、請求項１の発明に係る間接活線工法用クリップは、支持穴が貫通したベース部材と、該支持穴内において進退自在に支持されたピストン部材と、該支持穴と連通して前記ピストン部材を進退自在に支持する貫通穴を有し、且つベース部材によって前記貫通穴を中心として正逆転自在に支持された回動部材と、該回動部材により開閉自在に軸支された少なくとも一つの第１の開閉片と、前記第１の開閉片に設けられて該第１の開閉片が閉止方向へ回動したときに前記ピストン部材を一方向へ移動させる第１の押圧部材と、前記ベース部材の所定部位によって開閉自在に軸支された少なくとも一つの第２の開閉片と、前記第２の開閉片に設けられて前記一方向へ移動したピストン部材に押圧された時に該第２の開閉片を開放方向へ回動させる第２の押圧部材と、該第２の開閉片を閉止方向へ付勢する弾性部材と、を備えたことを特徴とする。
【００１１】
請求項２の発明は、前記第１の開閉片が開閉操作されるハンドルであり、前記第２の開閉片が挟圧対象物を挟圧する挟圧片であることを特徴とする。
請求項３の発明は、前記第２の開閉片が開閉操作されるハンドルであり、前記第１の開閉片が挟圧対象物を挟圧する挟圧片であることを特徴とする。
請求項４の発明は、前後方向へ貫通する支持穴を有したベース部材と、前記支持穴内において前後方向へ進退自在に支持されたピストン部材と、前記支持穴を間に挟んだ左右対称位置に相当し、且つ前記支持穴を回避した前記ベース部材部位に夫々設けた軸支部によって開閉自在に軸支された二本のハンドルと、前記二本のハンドルのうちの少なくとも一方に設けられて該ハンドルが閉止方向へ回動したときに前記ピストン部材を前方へ移動させる第１の押圧部材と、該支持穴と連通して前記ピストン部材を進退自在に支持する貫通穴を有し、且つ前記ベース部材に設けた支持部によって前記貫通穴を中心として正逆転自在に支持された回動部材と、該回動部材の前記支持穴を間に挟んだ対称位置に設けた軸支部によって夫々開閉自在に軸支された二本の挟圧片と、該各挟圧片に設けられて前方に突出した前記ピストンに押圧された時に前記各挟圧片を開放させる第２の押圧部材と、該挟圧片を閉止方向へ付勢する弾性部材と、を備えたことを特徴とする。
請求項５の発明は、前記支持部は、前記ベース部材に設けた凹所であり、前記回動部材は前記凹所としての支持部内に回転自在、且つ抜け落ち不能に支持されており、ストッパ機構によって前記ベース部材に対する前記回動部材の回動角度を一時的に固定できるように構成されていることを特徴とする。
【発明の効果】
【００１２】
本発明では、絶縁ヤットコによって直接操作されるハンドルの開閉軌跡と、挟圧対象物を挟圧する挟圧片の開閉軌跡を、共通の回動軸（支持穴、貫通穴）を中心とした相対回転によりずらすことが可能である。
このため、絶縁ヤットコを操作する作業者の作業位置を変化させたり、身体の向きを変化させる等の煩雑な作業を行うことなく、ハンドルを開閉操作して挟圧片をスムーズに挟圧対象物に対して着脱させることが可能となる。
【図面の簡単な説明】
【００１３】
【図１】（ａ）及び（ｂ）は本発明の一実施形態に係る間接活線工法用クリップの外観図であり、（ａ）は先端部を閉じた状態、（ｂ）は先端部を開放した状態を示している。
【図２】（ａ）及び（ｂ）は間接活性工法用クリップの先端部を閉止した状態、及び開放した状態を夫々示す断面図である。
【図３】（ａ）及び（ｂ）はハンドルとピストン部材と挟圧片が連動する手順を示す説明図である。
【図４】間接活線工具用クリップの分解図である。
【図５】（ａ）はベース部材、及び回動部材の組立状態の断面図であり、（ｂ）は一部を断面で示す分解図である。
【図６】（ａ）及び（ｂ）はベース部材に対する回動部材の動作を示す平面図である。
【図７】（ａ）及び（ｂ）はハンドルの開閉方向Ｄ１に対して、挟圧片の開閉方向Ｄ２を直交させた使用例を示した図である。
【図８】（ａ）は従来の間接活線工法用クリップの構成例であり、（ｂ）及び（ｃ）はクリップを絶縁ヤットコによって保持した状態の説明図である。
【図９】高所作業車のバケットに乗って間接活線作業を行っている状態を示した略図である。
【図１０】（ａ）及び（ｂ）は従来のクリップを対象物に取り付ける際の状況を説明する図である。
【発明を実施するための形態】
【００１４】
以下、本発明を図面に示した実施の形態により詳細に説明する。
図１（ａ）及び（ｂ）は本発明の一実施形態に係る間接活線工法用クリップの外観図であり、（ａ）は先端部を閉じた状態、（ｂ）は先端部を開放した状態を示している。また、図２（ａ）及び（ｂ）は間接活性工法用クリップの先端部を閉止した状態、及び開放した状態を夫々示す断面図であり、図３（ａ）及び（ｂ）はハンドルとピストン部材と挟圧片が連動する手順を示す説明図であり、図４は間接活線工具用クリップの分解図であり、図５（ａ）はベース部材、及び回動部材の組立状態の断面図であり、（ｂ）は一部を断面で示す分解図である。また、図６（ａ）及び（ｂ）はベース部材に対する回動部材の動作を示す平面図である。
【００１５】
間接活線工法用クリップ（以下、クリップ、という）１は、支持穴３が貫通したベース部材２と、支持穴３内において軸方向へ進退自在に支持されたピストン部材１１と、支持穴３と連通してピストン部材を進退自在に支持する貫通穴３１ａを有し、且つベース部材２の前部（又は、後部）に設けた支持部５によって支持穴３内のピストン部材１１を中心として正逆転（回動、又は回転）自在に支持された回動部材３１と、回動部材３１に設けた少なくとも一つの軸支部（或いは、回動軸）２３により開閉自在に支持されて開閉動作（揺動）する少なくとも一つのハンドル（開閉片）２１（又は、少なくとも一本の挟圧片３５）と、ハンドル２１に設けられてハンドルが閉止方向へ回動したときにピストン部材１１を前方へ押圧して移動させる第１の押圧部材２５と、支持穴３を回避したベース部材２の所定部位に設けた少なくとも一つの軸支部（或いは、回動軸）３３によって開閉自在に軸支されて開閉動作（揺動）する少なくとも一本の挟圧片（開閉片）３５（又は、少なくとも一本のハンドル２１）と、挟圧片３５に設けられて前方に移動したピストン部材に押圧された時に挟圧片を開放方向へ回動させる第２の押圧部材３７と、挟圧片３５を閉止方向へ付勢（図１（ａ）に示した閉止状態に維持）する図示しない弾性部材と、を備えている。
【００１６】
図示した実施形態のクリップ１は、正逆転方向へ揺動自在なハンドル（第１の開閉片、又は第２の開閉片）２１と、正逆転方向へ揺動自在な挟圧片（第２の開閉片、又は第１の開閉片）３５を夫々二本ずつ備えており、二本のハンドル２１を同時に開閉操作することにより、ピストン部材１１を前後方向へ進退させて挟圧片３５を開閉させるように構成されている。
即ち、図示したクリップ１は、前後方向へ貫通する支持穴３を有したベース部材２と、支持穴内において前後方向へ進退自在に支持されたピストン部材１１と、支持穴３と連通してピストン部材を進退自在に支持する貫通穴３１ａを有し、且つベース部材の後部に設けた支持部５によって貫通穴内のピストン部材を中心として正逆転方向へ回動（回転）自在に支持された環状の回動部材３１と、回動部材の支持穴３を間に挟んだ対称位置に設けた軸支部２３（軸支部３１ｂ）によって夫々端部を横方向へ回動（揺動）自在に軸支された二本のハンドル（開閉片）２１と、二本のハンドルのうちの少なくとも一方に設けられて該ハンドルが閉止方向へ回動したときにピストン部材１１を前方へ押圧して移動させる第１の押圧部材２５と、支持穴を間に挟んだ左右対称位置に相当するベース部材前部に夫々設けた軸支部３３によって横方向へ回動（揺動）自在に軸支された二本の挟圧片（開閉片）３５と、各挟圧片に設けられて前方に突出したピストン部材によって押圧された時に各挟圧片を開放させる第２の押圧部材３７と、挟圧片３５を図１（ａ）に示した閉止方向に付勢して閉止状態を維持する図示しない弾性部材とを備えている。
なお、本例では、回動部材に軸支部２３を軸支穴とし、この軸支穴内にハンドル２１に設けた突起状の軸部を嵌合させて回動自在に構成したが、回動部材に設けた突起状の軸部を、ハンドル２１に設けた軸支穴内に嵌合させてもよい。
このことは、軸支部３３と挟圧片３５との回動支持構造にも同様に当てはまる。
【００１７】
各ハンドル（開閉片）２１の内側適所、本例では軸支部２３に近い部位に突設された爪状の第１の押圧部材２５は、各ハンドルが図１（ａ）のように開放した状態においても、（ｂ）のように各ハンドルが閉止した状態においても、ピストン部材１１が進退する経路に突出しており、（ａ）のようにピストン部材により後方へ押圧されることにより、各ハンドルを開放（挟圧片を閉止）させる。また、第１の押圧部材２５はピストン部材が後方へ抜け落ちることを防止している。また、第１の押圧部材２５は、各ハンドルが図１（ｂ）のように絶縁ヤットコ１２０により閉止方向へ押圧されたときに、ピストン部材の後端部を前方へ押し出して支持穴３内を前方に移動させる（図３を併せて参照）。
各挟圧片３５の内側適所、本例では軸支部３３に近い部位に突設された爪状の第２の押圧部材３７は、各挟圧片が図１（ａ）のように閉止した状態においも、（ｂ）のように開放した状態においても、ピストン部材１１が進退する経路に突出している。各第２の押圧部材３７がピストン部材によって前方へ押圧されたときに各挟圧片を開放させる。つまり、図１（ｂ）のように第１の押圧部材２５により押圧されたピストン部材が前方へ移動した時に、ピストン部材により第２の押圧部材３７が押圧されて開放方向へ移動するため、第２の押圧部材と一体の挟圧片が開放する（図３を併せて参照）。
【００１８】
挟圧片（開閉片）３５を閉止方向へ付勢して閉止状態に維持する図示しない弾性部材は、例えば挟圧片３５を直接閉止方向へ付勢する手段、例えば軸支部３３外周、その他の部位に設けたコイルバネ、トーションバネなどであってもよい。或いは、ピストン部材を常時後方へ付勢するバネ、或いはハンドル２１を図１（ａ）に示した開放状態に付勢するバネであってもよい。或いは、これらのバネの少なくとも２つを組合せ使用してもよい。或いは、上記以外の弾性手段であって挟圧片を閉止方向に付勢して閉止状態を維持できるものであれば、どのようなものであってもよい。
ハンドル２１は、絶縁ヤットコによってその外側面を挟み込んで開閉操作される部位であるため、そのような機能を発揮し得るような形状、サイズ、接触面の摩擦抵抗を設定する。絶縁ヤットコと接するハンドルの面は、摩擦抵抗を高めるための加工を施すと共に、絶縁ヤットコの先端部と安定して接触し易い面積、形状に設定する。
挟圧片３５は、絶縁シート、電線等の挟圧対象物を挟み込んで固定するものであるため、それに適した機能を発揮し得るように形状、サイズ、接触面の摩擦抵抗を設定する。
【００１９】
ベース部材２の後部には、回動部材３１を、支持穴３、及び貫通穴３１ａ（ピストン部材）を中心として正逆回動（正逆回転）させるための支持部５が設けられている。本例では支持部５はベース部材の後面に設けた凹所であるが、回動部材３１を脱落不能かつ回転自在に支持できれば、どのような構造であってもよい。
或いは、ベース部材の前部に支持部５を設け、支持部によって回転自在に支持した回動部材３１によって挟圧片３５を開閉自在に支持すると共に、ベース部材の後部によってハンドル２１を開閉自在に支持してもよい。
従って、特許請求の範囲において、第１の開閉片はハンドルである場合と、挟圧片である場合とがあり、また第２の開閉片は挟圧片である場合と、ハンドルである場合とがある。
本例では、凹所としての支持部５の内底面に設けた複数の凹部５ａ内にボールベアリング等の位置決め部材６を転動自在に配置する。回動部材３１は支持部５内に脱落不能、且つ回動（回転）自在に支持されており、その外底面には位置決め部材６を嵌合させる（落ち込ませる）凹部３１ｃを所定の周方向ピッチで備えている。
【００２０】
位置決め部材６を回動部材の外底面の周方向に沿って所定のピッチ、例えば３０度間隔、或いは４５度間隔で配置することにより、位置決め部材６を任意の凹部３１ｃ内に嵌合（一時的に固定）させることにより、ベース部材２に対する回動部材の回動角度を位置決めさせることができる。
即ち、ベース部材に対する回動部材の回動角度を固定せずに常に自由に回動できるようにしてもよいが、挟圧片３５によって絶縁シート等を挟圧したり、クリップを絶縁シート等から離脱させる作業中に、回動部材がベース部材に対して回動してしまうことを避けたい場合には、ストッパ機構としての位置決め部材６と凹部３１ｃを利用して回動部材の回動角度を所定に固定（一時的な固定）する。
なお、回動部材３１を回動させる過程で、回動部材３１の外底面の平坦部位（凹部３１ｃ以外の面）が凹部５ａ内に支持された位置決め部材６をスムーズに通過すると共に、位置決め部材６が凹部３１ｃ内に嵌合した時には回動部材の回動を所定の係止力で阻止し得るように、支持部５の深さ寸法を回動部材３１の軸方向長（前後方向長）よりも若干大きく設定しておく。
なお、位置決め部材を収容する凹部５ａを支持部の内壁（内側壁）に設け、位置決め部材を嵌合させる凹部３１ｃを回動部材３１の外周面に設けても良い。この場合には、位置決め部材６は、回動部材の外周面を係止することとなる。
【００２１】
或いは、ストッパ機構の他の構成例として、ベース部材２の外周面に支持部５の内壁まで貫通する小孔（図示せず）を少なくとも一つ形成し、回動部材３１の外周面にはこの小孔と連通可能な位置に複数個の小凹部（図示せず）を形成する。そして、小孔から差し込んだストッパピン（図示せず）の先端を何れかの小凹部内に差し込むことによって、回動部材３１をベース部材に対して任意の角度で固定するようにしてもよい。このように構成すれば、構造をシンプル化しながらも、ハンドルに対する挟圧片の回動角度を任意に、且つ確実に固定することができる。また、ストッパピンを引き抜くことにより、回動角度を変更することが容易である。
なお、図示説明した以上の構成例では、２つのハンドル２１を共に開閉自在に軸支したが、一方のハンドルを固定し、他方のハンドルのみを開閉自在に軸支してもよい。また、同様に一方の挟圧片を固定し、他方の挟圧片３５のみを開閉自在に軸支しても良い。
【００２２】
このように構成した場合においても、正逆転自在な方のハンドル２１に設けた第１の押圧部材２５、及び挟圧片３５に設けた第２の押圧部材３７がピストン部材１１を進退させる機能を発揮するため問題はない。この場合、固定された側のハンドル、挟圧片には押圧部材、第２の押圧部材は設けない。
ベース部材２、ピストン部材１１、ハンドル２１、挟圧片３５等は、ＦＲＰ等の絶縁性、耐久性を有した樹脂材料を用いて構成するが、機能性、耐久性等の特有の特性を求められる部材、例えば位置決め部材（ベアリング）等は金属により構成してもよい。
【００２３】
次に、図１乃至図６に示した本発明の一実施形態に係る間接活線工法用クリップを用いた作業手順について図７を参照しながら説明する。
本発明のクリップ１は、ピストン部材１１を回転中心としてハンドル２１に対する挟圧片３５の回転角度を変更することが可能である。このため、図１０に示した従来例のクリップのようにハンドルを開閉する方向Ｄ１と、挟圧片を開閉する方向Ｄ２が同一平面上に含まれる状態（図６（ａ）の状態）とすることもできるが、図６（ｂ）、図７に示したようにハンドルの開閉方向（開閉軌跡）Ｄ１と挟圧片の開閉方向（開閉軌跡）Ｄ２とが異なった平面に含まれるように角度を変化させることもできる。換言すれば、開閉方向Ｄ１を含む平面と、開閉方向Ｄ２を含む平面とが同一平面内に収まるようにしたり、或いは両平面が交差（直交、その他の角度での交差）するように、ハンドルと挟圧片の角度を変化させることができる。
【００２４】
図７（ａ）（ｂ）はハンドルの開閉方向Ｄ１に対して、挟圧片の開閉方向Ｄ２を直交させた使用例を示している。図７（ａ）は絶縁ヤットコによってハンドルを挟圧する直線の状態を示した正面図であり、（ｂ）は絶縁ヤットコによってハンドルを挟圧して挟圧片を開放させた状態を示した側面図である。
電線１３０に二つ折りにして掛けた絶縁シート１３５の上辺に挟着されたクリップ１は、そのハンドル２１の開閉方向Ｄ１が挟圧片３５の開閉方向Ｄ２と直交しているため、電線１３０と直交する手前方向からの絶縁ヤットコ１２０による作業によって挟圧片を開放させて絶縁シート１３５から離脱させることができる。絶縁シート１３５にクリップ１を取り付ける場合にも同様に電線と直交する方向からの絶縁ヤットコによる操作によってクリップを取り付けることができる。
なお、ハンドルの開閉方向に対する挟圧片の開閉方向の角度は、クリップを取り付ける前の事前の操作により調整可能である。
また、絶縁ヤットコによるクリップの保持方向は、図８（ｂ）に示した方向のみならず、同図（ｃ）に示した如き直交方向でもよいことは勿論である。
【００２５】
以上のように本発明のクリップでは、絶縁ヤットコによって直接操作されるハンドルの開閉軌跡と、挟圧対象物を挟圧する挟圧片の開閉軌跡を、共通の回動軸（支持穴、貫通穴）を中心とした相対回転によりずらすことが可能である。
このため、作業者の作業位置を変化させたり、身体の向きを変化させる等の煩雑な作業を行うことなく、ハンドルを開閉操作して挟圧片をスムーズに挟圧対象物に対して着脱させることが可能となる。
また、切断によりフリーとなった電線を他の部位に仮固定するといった安全措置を講じる場合にも本発明のクリップは有効である。
【符号の説明】
【００２６】
１…クリップ、２…ベース部材、３…支持穴、５…支持部、５ａ…凹部、６…位置決め部材、１１…ピストン部材、２１…ハンドル、２３…軸支部、２５…押圧部材、３１…回動部材、３１ａ…貫通穴、３１ｂ…軸支部、３１ｃ…凹部、３３…軸支部、３５…挟圧片、３７…押圧部材、１２０…絶縁ヤットコ、１３０…電線
【要約】
【課題】間接活線工法用クリップを電線等に被せた絶縁シート等に対して着脱する作業を容易化する。
【解決手段】ベース部材２の支持穴３内において進退自在に支持されたピストン部材１１と、貫通穴３１ａを中心として正逆転自在に支持された回動部材３１と、回動部材により開閉自在に軸支された少なくとも一つの第１の開閉片２１と、第１の開閉片が閉止方向へ回動したときにピストン部材を一方向へ移動させる第１の押圧部材２５と、ベース部材によって開閉自在に軸支された少なくとも一つの第２の開閉片３５と、ピストン部材に押圧された時に該第２の開閉片を開放方向へ回動させる第２の押圧部材３７と、第２の開閉片を閉止方向へ付勢する弾性部材とを備えた。
【選択図】図１【図１】
0005524366.tif 000002
【図２】
0005524366.tif 000003
【図３】
0005524366.tif 000004
【図４】
0005524366.tif 000005
【図５】
0005524366.tif 000006
【図６】
0005524366.tif 000007
【図７】
0005524366.tif 000008
【図８】
0005524366.tif 000009
【図９】
0005524366.tif 000010
【図１０】
0005524366.tif 000011